(57)【要約】【課題】フリック入力に使用されるキーを用いて変換候補の入力を可能とする情報処理装置を提供する。【解決手段】携帯型電話機１の静電キー１３０は、複数のキー３０１〜３１２の各々について、キーの押下操作と、キーの押下を伴わない当該キーに対する入力操作とを判別する。携帯型電話機１のプロセッサは、静電キー１３０が入力操作としてフリック操作を受け付けた場合、フリック操作により選択された文字と、選択された文字に予め関連付けられた複数の変換候補とをディスプレイ１６０に表示させる。複数の変換候補の各々は、複数のキーのうち、互いに異なるキーに対応付けられている。プロセッサは、選択された文字および複数の変換候補をディスプレイ１６０に表示させた状態で、静電キー１３０が複数のキーのいずれかに対する押下操作を受け付けた場合、押下操作を受け付けたキーに対応付けられた変換候補の入力を受け付ける。【選択図】図２
2016218898.tif 000002
【特許請求の範囲】
【請求項１】
情報処理装置であって、
複数のキーを備えた入力デバイスと、
ディスプレイと、
プロセッサとを備え、
前記入力デバイスは、前記複数のキーの各々について、前記キーの押下操作と、前記キーの押下を伴わない前記キーに対する入力操作とを判別し、
前記プロセッサは、前記入力デバイスが前記入力操作としてフリック操作を受け付けた場合、前記フリック操作により選択された文字と、前記選択された文字に予め関連付けられた複数の変換候補とを前記ディスプレイに表示させ、
前記複数の変換候補の各々は、前記複数のキーのうち、互いに異なるキーに対応付けられており、
前記プロセッサは、前記選択された文字および前記複数の変換候補を前記ディスプレイに表示させた状態で、前記入力デバイスが前記複数のキーのいずれかに対する前記押下操作を受け付けた場合、前記押下操作を受け付けたキーに対応付けられた前記変換候補の入力を受け付ける、情報処理装置。
【請求項２】
前記プロセッサは、
前記選択された文字および前記複数の変換候補を前記ディスプレイに表示させるときには、前記複数の変換候補の各々に対して互いに異なる番号を関連付けた状態で前記複数の変換候補を表示させ、
前記選択された文字および前記複数の変換候補を前記ディスプレイに表示させた状態で、前記入力デバイスが前記複数のキーのいずれかに対する前記押下操作を受け付けた場合、前記押下操作を受け付けたキーの番号と同じ番号に関連付けられた前記変換候補の入力を受け付ける、請求項１に記載の情報処理装置。
【請求項３】
情報処理装置であって、
複数のキーを備えた入力デバイスと、
ディスプレイと、
プロセッサとを備え、
前記入力デバイスは、前記複数のキーの各々について、前記キーの押下操作と、前記キーの押下を伴わない前記キーに対する入力操作とを判別し、
前記プロセッサは、
前記入力デバイスが前記入力操作としてフリック操作を受け付けた場合、前記フリック操作により選択された文字と、前記選択された文字に予め関連付けられた複数の変換候補とを前記ディスプレイに表示させ、
前記選択された文字および前記複数の変換候補を前記ディスプレイに表示させる場合には、前記複数の変換候補のうちの第１の変換候補が選択されていることを示すために、前記第１の変換候補を、フォーカスを当てた表示態様とし、
前記第１の変換候補に対してフォーカスが当たった状態で、前記入力デバイスが前記複数のキーのうちの予め定められた第１のキーに対する前記押下操作を受け付けた場合、前記第１のキーに対応付けられたフォーカス移動の処理を行ない、
前記フォーカス移動の処理によって前記複数の変換候補のうちの第２の変換候補に対してフォーカスが当たった状態で、前記入力デバイスが前記複数のキーのうちの予め定められた第２のキーに対する前記押下操作を受け付けると、前記第２の変換候補を入力する、情報処理装置。
【請求項４】
前記入力デバイスは、前記複数のキーと、前記複数のキーに重ねて設けられたタッチパッドとを含む、請求項１から３のいずれか１項に記載の情報処理装置。
【請求項５】
複数のキーを備えた入力デバイスと、ディスプレイと、プロセッサとを備えた情報処理装置における情報処理方法であって、
前記情報処理方法は、前記入力デバイスが前記キーの押下を伴わないフリック操作を受け付けた場合、前記プロセッサが、前記フリック操作により選択された文字と、前記選択された文字に予め関連付けられた複数の変換候補とを前記ディスプレイに表示させるステップを備え、
前記複数の変換候補の各々は、前記複数のキーのうち、互いに異なるキーに対応付けられており、
前記情報処理方法は、前記選択された文字および前記複数の変換候補が前記ディスプレイに表示された状態で、前記入力デバイスが前記複数のキーのいずれかに対する押下操作を受け付けた場合、前記プロセッサが、前記押下操作を受け付けたキーに対応付けられた前記変換候補の入力を受け付けるステップをさらに備える、情報処理方法。
【請求項６】
複数のキーを備えた入力デバイスと、ディスプレイと、プロセッサとを備えた情報処理装置における情報処理方法であって、
前記情報処理方法は、前記入力デバイスが、前記キーの押下を伴わないフリック操作を受け付けた場合、前記プロセッサが、前記フリック操作により選択された文字と、前記選択された文字に予め関連付けられた複数の変換候補とを前記ディスプレイに表示させるステップを備え、
前記選択された文字および前記複数の変換候補を前記ディスプレイに表示させるステップでは、前記複数の変換候補のうちの第１の変換候補が選択されていることを示すために、前記第１の変換候補がフォーカスを当てた表示態様とされ、
前記情報処理方法は、
前記第１の変換候補に対してフォーカスが当たった状態で、前記入力デバイスが前記複数のキーのうちの予め定められた第１のキーに対する押下操作を受け付けた場合、前記プロセッサが、前記第１のキーに対応付けられたフォーカス移動の処理を行なうステップと、
前記フォーカス移動の処理によって前記複数の変換候補のうちの第２の変換候補に対してフォーカスが当たった状態で、前記入力デバイスが前記複数のキーのうちの予め定められた第２のキーに対する押下操作を受け付けると、前記プロセッサが、前記第２の変換候補を入力するステップとをさらに備える、情報処理方法。
【発明の詳細な説明】
【技術分野】
【０００１】
本発明は、文字入力が可能な情報処理装置および当該情報処理装置における情報処理方法に関する。
【背景技術】
【０００２】
従来、キーの押下操作に基づき文字を入力する方法、およびフリック操作により文字を入力する方法が知られている。キーの押下操作に基づき文字を入力する方法は、フィーチャーフォン等で採用されている。また、フリック操作により文字を入力（以下、「フリック入力」とも称する）する方法は、スマートフォン等で採用されている。
【０００３】
また、従来、キーの押下操作と、キーの押下を伴わないキーに対する入力操作とを判別可能な情報処理装置も知られている。たとえば、特許文献１には、上記の情報処理装置として、キーが押下されると当該キーに対応する文字を入力し、キーが押し下げられることなくフリック操作を検知した場合には当該フリック操作に対応する文字を入力可能な電子機器が開示されている。
【先行技術文献】
【特許文献】
【０００４】
【特許文献１】特開２０１２−１２８７７４号公報
【特許文献２】特開２０１３−１９８０６８号公報
【特許文献３】特開２０１４−１６５８８４号公報
【特許文献４】特開２０１４−０１６７０７号公報
【特許文献５】ＷＯ２０１２／１２８３６１号公報
【特許文献６】特開２０１４−０８６９３６号公報
【発明の概要】
【発明が解決しようとする課題】
【０００５】
ところで、特許文献１の電子機器のように、キーの押下操作とキーの押下を伴わないキーに対する入力操作とを判別可能な情報処理装置では、以下のような問題が生じる。
【０００６】
このような情報処理装置は、上記入力操作としてのテンキーを用いたフリック操作により変換対象の文字（たとえば、「あ」）の入力を受け付けた場合、通常、変換対象の文字に関連付けられた複数の変換候補（たとえば、「朝」，「青空」，…）を表示する。この場合、ユーザは、複数の変換候補の中からユーザが所望する変換候補を選択するためには、十字キー等のフリック操作に用いないキーを操作する必要がある。
【０００７】
本願発明は、上記の問題点に鑑みなされたものであって、その目的は、フリック入力に使用されるキーを用いて変換候補の入力を可能とする情報処理装置および当該情報処理装置における情報処理方法を提供することにある。
【課題を解決するための手段】
【０００８】
本発明のある局面に従うと、情報処理装置は、複数のキーを備えた入力デバイスと、ディスプレイと、プロセッサとを備える。入力デバイスは、複数のキーの各々について、キーの押下操作と、キーの押下を伴わないキーに対する入力操作とを判別する。プロセッサは、入力デバイスが入力操作としてフリック操作を受け付けた場合、フリック操作により選択された文字と、選択された文字に予め関連付けられた複数の変換候補とをディスプレイに表示させる。複数の変換候補の各々は、複数のキーのうち、互いに異なるキーに対応付けられている。プロセッサは、選択された文字および複数の変換候補をディスプレイに表示させた状態で、入力デバイスが複数のキーのいずれかに対する押下操作を受け付けた場合、押下操作を受け付けたキーに対応付けられた変換候補の入力を受け付ける。
【発明の効果】
【０００９】
上記の発明によれば、情報処理装置のユーザは、フリック入力に使用されるキーを用いることにより変換候補を情報処理装置に入力することが可能となる。
【図面の簡単な説明】
【００１０】
【図１】携帯型電話機１の斜視図である。
【図２】フリック操作および押下操作を用いた文字入力の具体的方法を説明するための図である。
【図３】携帯型電話機１における処理の流れを説明するためのフローチャートである。
【図４】携帯型電話機１のハードウェア構成を説明するための図である。
【図５】フリック操作および押下操作を用いた文字入力の具体的方法を説明するための図である。
【図６】携帯型電話機１Ａにおける処理の流れの典型例を説明するためのフローチャートである。
【図７】静電キー１３０の構成を概略的に示す断面図である。
【発明を実施するための形態】
【００１１】
以下、図面を参照しつつ、本発明の各実施の形態に係る情報処理装置について説明する。具体的には、情報処理装置の一例として、携帯型電話機を例に挙げて説明する。また、以下の説明では、同一の部材には同一の参照符号を付してある。それらの名称および機能も同じである。したがって、それらについての詳細な説明は繰り返さない。
［実施の形態１］
＜Ａ．外観＞
図１は、携帯型電話機１の斜視図である。図１を参照して、携帯型電話機１は、上部筐体１０１と、下部筐体１０２と、ヒンジ部１０３とを備える。上部筐体１０１と下部筐体１０２とは、ヒンジ部１０３により接続されている。
【００１２】
上部筐体１０１は、表示部としてのディスプレイ１６０を備える。下部筐体１０２は、入力部としての静電キー１３０を備える。
【００１３】
静電キー１３０は、携帯型電話機１に情報を入力するためのユーザ操作を受付けるための入力デバイスである。静電キー１３０は、テンキー３００と、静電センサ３５０と、十字キー等の他の操作キーとを備える。詳細については後述するが、静電センサ３５０は、下部筐体１０２に内蔵された基板の上に配置されている。
【００１４】
静電キー１３０は、テンキー３００を含む複数のキーの押下操作と、当該キーの押下を伴わないキーに対する入力操作（以下、「タッチ操作」とも称する）とを判別する。当該入力操作には、フリック操作が含まれる。また、以下では、フリック操作は、文字入力の際のタップ操作を含むものとして説明する。なお、「タップ操作」とは、キーの押下を伴わない操作であって、ユーザが指等によってキーに接触した後に他のキーに接触することなく当該接触したキーから指等を離す操作をいう。
【００１５】
また、静電キー１３０は、キーが押下された状態でフリック操作を受け付けることも可能である。つまり、キーへのタッチ操作だけではなく押下操作によっても、複数の文字（たとえば、「あ」，「い」，「う」，「え」，「お」）を表示し、この状態から指を弾くユーザ操作を受け付けてもよい。この場合には、ユーザは、複数の文字から１つの文字を選択するに際して、単に指を弾けばよく、押下したキーに対して指を弾く方向に隣接する他のキーを押下する必要はない。
【００１６】
ところで、携帯型電話機１は、静電容量を利用したタッチ操作を検出する構成であるが、これに限定されるものではない。携帯型電話機１は、タッチパッド（タッチセンサ）を備えていればよく、タッチパッドは、抵抗膜方式、光学方式、超音波方式などであってもよい。
【００１７】
また、図１の携帯型電話機１は、折り畳み型であるが、フラットタイプであってもよい。また、情報処理装置は、携帯型電話機１に限定されず、例えば、タブレット端末、パーソナルコンピュータ、デジタルカメラ、オーディオプレイヤ、スマートフォン、ウェアラブル端末等であってもよい。
【００１８】
＜Ｂ．静電キー１３０＞
静電キー１３０の具体的な構造については後述する。なお、以下では、下部筐体１０２の面であって、上部筐体１０１と下部筐体１０２とが折り畳まれた状態において、ディスプレイ１６０の表示面と対向する面を、「主面」と称する。
【００１９】
図７は、静電キー１３０の構成を概略的に示す断面図である。図７を参照して、テンキー３００を構成する各キー３０１，３０２，…（図２（Ａ）参照）は、主面に配置された静電センサ３５０の上に実装されている。各キー３０１,３０２，…は、内部に中空部を有した半球形（ドーム形状）の３９１と、フィルム３９２の一部とにより構成されている。
【００２０】
フィルム３９２は、部材３９１に対して、静電センサ３５０とは反対側に備えられている。フィルム３９２には、対応するキーに応じた、数値（「０」、「１」、「２」、「３」、「４」…、「９」），文字，記号等が印字されている。
【００２１】
各部材３９１は、ユーザがフィルム３９２に外側から矢印９９９の方向へ所定以上の力を加えると、頂上部が静電センサ３５０に近づく方向に変形する。当該変形により静電容量が、タッチ操作の時よりもさらに変化するため、携帯型電話機１は、キーの押下を検出することができる。
【００２２】
詳しくは、静電センサ３５０は、マトリックス状に配置された複数のセンサ電極を含む。テンキー３００を構成する各キー３０１，３０２，…は、マトリックス状に配置された複数のセンサ電極上に実装されている。図示されるように、テンキー３００を構成する各キー３０１，３０２，…は、部材３９１の箇所で物理的に分離されているので、ユーザは、各キー３０１，３０２，…個別に操作することができる。キー３０１，３０２，…が操作されると、対応するセンサ電極の静電容量が変化する。静電容量の変化の大小により、携帯型電話機１は、ユーザの操作が、「押下操作」であるのか、あるいは「タッチ操作」であるのかを判別することができる。
【００２３】
より詳しくは、静電キー１３０は、静電センサ３５０の各センサ電極からの検出信号の雑音を除去し、当該検出信号を出力する。各センサ電極からの検出信号は、静電容量の変化量と、当該センサ電極のマトリックス上の位置を表す信号を含む。
【００２４】
なお、実施の形態１では、静電センサ３５０は、テンキー３００の下に配置されているが、静電センサ３５０の配置方法は、この方法に限定されない。つまり、静電センサ３５０はテンキー３００に重ねて配置されればよい。したがって、静電センサ３５０は、テンキー３００の上に重ねて配置されてもよい。
【００２５】
＜Ｃ．操作例＞
図２は、フリック操作および押下操作を用いた文字入力の具体的方法を説明するための図である。詳しくは、図２は、一例として平仮名の「あ」に対応する変換候補（具体的には、「青空」）を入力する際のユーザ操作を説明するための図である。なお、入力する変換候補は、一例であって、これに限定されるものではない。
【００２６】
図２を参照して、携帯型電話機１は、テンキー３００を構成する各キー３０１〜３１２と、十字キー３１３とを備える。ユーザ操作に基づき携帯型電話機１の動作モードが文字入力モードに遷移すると、携帯型電話機１は、状態（Ａ）に示すとおり、ディスプレイ１６０に、指９０１等によるユーザ操作によって入力された文字を表示するための文字入力領域６１０を表示する。
【００２７】
状態（Ａ）においてユーザが「１」のキー３０１に対して「あ」を入力するためのフリック操作を行なうと、携帯型電話機１は、画面の表示内容を状態（Ａ）から状態（Ｂ）に遷移させる。状態（Ｂ）では、携帯型電話機１は、文字入力領域６１０に平仮名「あ」を表示するともに、「あ」に対応する複数の変換候補を変換候補表示領域６２０に表示する。
【００２８】
つまり、携帯型電話機１は、指９０１によるフリック操作によって選択された文字と、当該選択された文字に予め関連付けられた複数の変換候補とをディスプレイ１６０に表示する。詳しくは、携帯型電話機１は、フリック操作により選択された文字および複数の変換候補をディスプレイ１６０に表示させるときには、複数の変換候補の各々に対して互いに異なる番号を関連付けた状態で上記複数の変換候補を表示させる。たとえば、変換候補“朝”には、１番が関連付けられ、変換候補“青空”には２番が関連付けられる。
【００２９】
また、携帯型電話機１においては、上記複数の変換候補の各々は、複数のキーのうち、互いに異なるキーに対応付けられている。具体的には、５つの変換候補は、複数のキー３０１〜３０５のうち、互いに異なるキーに対応付けられている。たとえば、１番目の変換候補“朝”は「１」を表すキー３０１に対応付けられており、２番目の変換候補“青空”は「２」を表すキー３０２に対応付けられている。
【００３０】
携帯型電話機１は、状態（Ｂ）に示すように、上記選択された文字（つまり、「あ」）および上記複数の変換候補（具体的には、５つの変換候補）をディスプレイ１６０に表示させた状態で、静電キー１３０が上記複数のキー（詳しくは、キー３０１〜３０５）のいずれかに対する押下操作を受け付けた場合、当該押下操作を受け付けたキーに対応付けられた変換候補の入力を受け付ける。詳しくは、携帯型電話機１は、上記選択された文字および上記複数の変換候補をディスプレイ１６０に表示させた状態で、静電キー１３０がテンキー３００（正確には、キー３０１〜３０９，３１１）のいずれかに対する押下操作を受け付けた場合、当該押下操作を受け付けたキーの番号と同じ番号に関連付けられた変換候補の入力を受け付ける。
【００３１】
たとえば、携帯型電話機１が、状態（Ｂ）において、「２」を表すキー３０２に対する押下操作を受け付けると、キー３０２の番号（つまり、「２」）と同じ番号に関連付けられた変換候補“青空”の入力を受け付ける。つまり、携帯型電話機１は、変換候補“青空”を文字入力領域６１０に表示する。以上の一連の操作により、「あ」に対応する変換候補“青空”が入力される。
【００３２】
［補足］
（１）上記の操作例においては、「あ」が入力されると、少なくとも「青空」が表示される構成を例に挙げて説明した。しかしながら、携帯型電話機１は、「あ」だけ（つまり、平仮名１文字）が入力された場合、「青空」を変換候補として表示するとは限らない。たとえば、ある局面においては、携帯型電話機１は、複数個の文字（平仮名）を入力することによって、変換候補として「青空」を表示することも多い。
【００３３】
このように、携帯型電話機１は、平仮名一文字が入力された時点でユーザが所望する変換候補を表示する場合もあるし、複数の平仮名が連続して入力された時点でユーザが所望する変換候補を表示する場合もある。後者の構成について具体例を挙げて説明すれば、以下のとおりである。
【００３４】
ユーザは、「あ」を入力（つまり、「１」のキー３０１にタッチして指を離す）した後、「１」のキー３０１に再度タッチし、さらにフリックすることにより、「お」を入力する。ユーザは、さらに、「３」のキー３０３にタッチし、さらにフリックすることにより、「そ」を入力する。これらのユーザ操作によって、携帯型電話機１は、「青空」を変換候補としてディスプレイ１６０に表示する。
【００３５】
つまり、ユーザは、ある文字（たとえば「あ」）を入力した時点では、続けてのフリック入力が有効であり、この時点で２番目の変換候補として「青空」が表示されているのであれば、ユーザが「２」のキー３０２にタッチして指を離せば「か」が入力される（つまり、「あか」となり、たとえば「赤」、「赤坂」等が変換候補として表示される）。その一方、ユーザが「あ」に続いて「２」のキー３０２を押下すると、「青空」が選択される。
【００３６】
（２）上記においては、複数の変換候補が表示されている操作例を例に挙げて説明したが、これに限定されるものではない。ある局面においては、表示される変換候補は、１つであってもよい。すなわち、携帯型電話機１は、複数の変換候補を表示する構成であればよい。
【００３７】
＜Ｄ．小括＞
（１）以上のように、携帯型電話機１は、複数のキーを備えた静電キー１３０と、ディスプレイ１６０とを備える。静電キー１３０は、複数のキー３０１〜３１２の各々について、キー３０１〜３１２の押下操作と、キー３０１〜３１２の押下を伴わない当該キー３０１〜３１２に対する入力操作とを判別する。
【００３８】
携帯型電話機１のプロセッサ（詳細には、後述するＣＰＵ）は、静電キー１３０が入力操作としてフリック操作を受け付けた場合、当該フリック操作により選択された文字と、当該選択された文字に予め関連付けられた複数の変換候補とをディスプレイ１６０に表示させる。上記複数の変換候補の各々は、複数のキー３０１〜３１２のうち、互いに異なるキーに対応付けられている。
【００３９】
携帯型電話機１は、上記選択された文字および上記複数の変換候補をディスプレイ１６０に表示させた状態で、静電キー１３０が複数のキーのいずれかに対する押下操作を受け付けた場合、当該押下操作を受け付けたキーに対応付けられた変換候補の入力を受け付ける。
【００４０】
上記の構成によれば、携帯型電話機１のユーザは、フリック入力に使用されるキー３０１〜３１２を用いることにより変換候補を入力することが可能になる。
【００４１】
（２）詳しくは、複数のキー３０１〜３１２は、上述したように、テンキー３００を構成するキーである。携帯型電話機１（詳細には、後述するＣＰＵ）は、上記選択された文字および上記複数の変換候補をディスプレイ１６０に表示させるときには、当該複数の変換候補の各々に対して互いに異なる番号を関連付けた状態で当該複数の変換候補を表示させる。また、携帯型電話機１は、上記選択された文字および上記複数の変換候補をディスプレイ１６０に表示させた状態で、静電キー１３０がテンキーを構成するいずれかのキーに対する押下操作を受け付けた場合、押下操作を受け付けたキーの番号と同じ番号に関連付けられた変換候補の入力を受け付ける。
【００４２】
上記の構成によれば、ユーザは、テンキー３００を構成するキー３０１〜３１２を用いることにより変換候補を入力することが可能になる。
【００４３】
（３）より詳しくは、携帯型電話機１（詳細には、後述するＣＰＵ）は、複数のキーのうちのいずれかのキーに対する入力操作（タッチ操作）に基づき、入力操作を受け付けたキーに予め対応付けられた複数の文字の各々を入力候補としてディスプレイ１６０に表示させる。携帯型電話機１は、複数の前記入力候補が表示された状態で、フリック操作を受け付けた場合には、上記複数の入力候補の中からフリック操作により選択された入力候補を、変換対象の文字（たとえば、「あ」）としてディスプレイ１６０に表示された文字入力領域６１０に表示させる。
【００４４】
携帯型電話機１は、上記変換対象の文字および上記複数の変換候補をディスプレイ１６０に表示させた状態で、静電キー１３０が複数のキーのいずれかに対する押下操作を受け付けた場合、上記変換対象の文字の代わりに上記入力を受け付けた変換候補（たとえば、「青空」）を文字入力領域６１０に表示させる。
【００４５】
＜Ｅ．制御構造＞
図３は、携帯型電話機１における処理の流れを説明するためのフローチャートである。図３を参照して、ステップＳ２において、携帯型電話機１は、フリック操作により選択された文字と、当該選択された文字に予め関連付けられた変換候補とを、ディスプレイ１６０に表示させる。ステップＳ４において、携帯型電話機１は、テンキーを構成するいずれかのキーに対する押下操作を受け付けたか否かを判断する。
【００４６】
受け付けていないと判断された場合（ステップＳ４においてＮＯ）、携帯型電話機１は、処理をステップＳ４に進める。受け付けたと判断された場合（ステップＳ４においてＹＥＳ）、ステップＳ６において、携帯型電話機１は、押下操作を受け付けたキーに対応する変換候補が存在するか否かを判断する。
【００４７】
変換候補が存在すると判断された場合（ステップＳ６においてＹＥＳ）、ステップＳ８において、携帯型電話機１は、押下操作を受け付けたキーに対応付けられた変換候補の入力を受け付ける。変換候補が存在しないと判断された場合（ステップＳ６においてＮＯ）、携帯型電話機１は、処理をステップＳ４に進める。たとえば、図２の状態（Ｂ）において、キー３０２の代わりにキー３０６が押下された場合には、携帯型電話機１は、処理をステップＳ４に進める。
【００４８】
＜Ｆ．ハードウェア構成＞
図４は、携帯型電話機１のハードウェア構成を説明するための図である。図４を参照して、携帯型電話機１は、ＣＰＵ（Central Processing Unit）１１０と、メモリ１２０と、静電キー１３０と、静電キードライバ１４０と、ディスプレイドライバ１５０と、ディスプレイ１６０とを備える。
【００４９】
静電キー１３０は、上述したように、少なくとも、複数のキー３０１，３０２，３０３，…から構成されるテンキー３００と、静電センサ３５０とを含む。メモリ１２０は、典型的には、フラッシュメモリ等の不揮発性のメモリである。メモリ１２０は、ＯＳ（Operating system）、漢字変換ソフトウェア（日本語入力システム）を含む複数のアプリケーションプログラム、各種のデータを記憶している。
【００５０】
静電キードライバ１４０は、静電キー１３０用のドライバである。静電キードライバ１４０は、静電センサ３５０からタッチ情報を受け付ける。ユーザがフリック操作を行なった場合には、静電センサ３５０は、タッチ情報としてフリック操作の情報（正確には、複数の座標値の情報）を、静電センサ３５０から受け付ける。
【００５１】
また、静電キードライバ１４０は、ユーザによる押下操作に基づいて、テンキー３００を構成する各キー３０１，３０２，３０３，…から、ユーザによるキー操作情報を習得する。具体的には、静電キードライバ１４０は、押し下げられたキーを特定するための情報を当該キーから受信する。静電キードライバ１４０は、上記タッチ情報と上記キー操作情報とを、ＣＰＵ１１０に送る。
【００５２】
ＣＰＵ１１０は、ディスプレイドライバ１５０を介して、ディスプレイに各種の情報を表示される。一例として、ＣＰＵ１１０は、ディスプレイ１６０に、図２に示した文字入力領域６１０、変換候補表示領域６２０等を予め定められた位置に表示させる。また、ＣＰＵ１１０は、フリック操作により選択された入力候補と、その後の押下操作により選択された変換候補を、文字入力領域６１０に表示させる制御を行なう。
［実施の形態２］
本実施の形態では、テンキー３００に対するユーザ操作によって、十字キー３１３によって得られるユーザ操作を実現可能とする構成について説明する。なお、本実施の形態に係る携帯型電話機１Ａは、外観（図１参照）およびハードウェア構成（図４参照）が実施の形態１で説明した携帯型電話機１と同一であるため、ここでは、それらについては繰り返し説明しない。
【００５３】
＜Ｇ．操作例＞
図５は、フリック操作および押下操作を用いた文字入力の具体的方法を説明するための図である。詳しくは、図５は、実施の形態１と同様、一例として平仮名の「あ」に対応する変換候補（具体的には、「青空」）を入力する際のユーザ操作を説明するための図である。なお、入力する変換候補は、一例であって、これに限定されるものではない。
【００５４】
図５を参照して、携帯型電話機１Ａは、静電キー１３０がフリック操作を受け付けた場合、当該フリック操作により選択された文字と、当該選択された文字に予め関連付けられた複数の変換候補とをディスプレイ１６０に表示させる（状態（Ａ））。具体的には、ユーザが「１」のキー３０１に対して「あ」を入力するためのフリック操作を行なうと、携帯型電話機１Ａは、文字入力領域６１０に平仮名「あ」を表示するともに、「あ」に対応する複数の変換候補を変換候補表示領域６２０に表示する。詳しくは、携帯型電話機１Ａは、上記選択された文字および上記複数の変換候補をディスプレイ１６０に表示させる場合には、当該複数の変換候補のうちの第１の変換候補（状態（Ａ）では、「朝」）が選択されていることを示すために、第１の変換候補を、フォーカスを当てた表示態様とする。
【００５５】
なお、変換候補表示領域６２０に表示されている変換候補の表示例は一例であって、必ずしも図５のように左上から右下に順番に表示されなくてもよい。たとえば、変換候補は、キー３０１、キー３０２等の配列と同じ配列で対応付けられて表示されてもよい。
【００５６】
携帯型電話機１Ａは、状態（Ａ）において、十字キー３１３の機能を、４つのキー３０２，３０４，３０６，３０８に持たせる。具体的には、十字キー３１３によって実現される、選択状態にある変換候補を他の変換候補に変更するための入力を、４つのキー３０２，３０４，３０６，３０８への押下操作により実現させる。
【００５７】
たとえば、状態（Ａ）において、キー３０４をユーザが押下した場合、携帯型電話機１Ａは、キー３０４に対応付けられたフォーカスの移動処理を行なう。詳しくは、９つのキー３０１〜３０９における中心のキー３０５の左側に位置するキー３０４をユーザが押下すると、携帯型電話機１Ａは、十字キー３１３における左側部分が押下された場合と同様のフォーカス処理を行なう。これにより、状態（Ｂ）に示すとおり、５番目の変換候補“暖かい”にフォーカスが当たった状態となる。すなわち、携帯型電話機１Ａは、変換候補“朝”が選択されている状態から、変換候補“暖かい”が選択されている状態へと画面を遷移する。
【００５８】
また、状態（Ａ）において、キー３０２をユーザが押下した場合、携帯型電話機１Ａは、キー３０２に対応付けられたフォーカスの移動処理を行なう。詳しくは、中心のキー３０５の上側に位置するキー３０２をユーザが押下すると、携帯型電話機１Ａは、十字キー３１３における上側部分が押下された場合と同様のフォーカス処理を行なう。これにより、状態（Ｃ）に示すとおり、５番目の変換候補“暖かい”にフォーカスが当たった状態となる。すなわち、携帯型電話機１Ａは、変換候補“朝”が選択されている状態から、変換候補“暖かい”が選択されている状態へと画面を遷移する。
【００５９】
また、状態（Ａ）において、キー３０８をユーザが押下した場合、携帯型電話機１Ａは、キー３０８に対応付けられたフォーカスの移動処理を行なう。詳しくは、中心のキー３０５の下側に位置するキー３０８をユーザが押下すると、携帯型電話機１Ａは、十字キー３１３における下側部分が押下された場合と同様のフォーカス処理を行なう。これにより、状態（Ｄ）に示すとおり、３番目の変換候補“朝方”にフォーカスが当たった状態となる。すなわち、携帯型電話機１Ａは、変換候補“朝”が選択されている状態から、変換候補“朝方”が選択されている状態へと画面を遷移する。
【００６０】
また、状態（Ａ）において、キー３０６をユーザが押下した場合、携帯型電話機１Ａは、キー３０６に対応付けられたフォーカスの移動処理を行なう。詳しくは、中心のキー３０５の右側に位置するキー３０６をユーザが押下すると、携帯型電話機１Ａは、十字キー３１３における右側部分が押下された場合と同様のフォーカス処理を行なう。これにより、状態（Ｅ）に示すとおり、２番目の変換候補“青空”にフォーカスが当たった状態となる。すなわち、携帯型電話機１Ａは、変換候補“朝”が選択されている状態から、変換候補“青空”が選択されている状態へと画面を遷移する。
【００６１】
また、「５」のキー３０５には、確定キーとしての機能が与えられている。詳しくは、複数の変換候補のいずれかにフォーカスが当たっている状態で、ユーザがキー３０５を押下すると、フォーカスが当たっている変換候補が文字入力領域６１０に入力される。
【００６２】
たとえば、状態（Ｅ）において、ユーザが「５」のキー３０５を押下すると、文字入力領域６１０に、フォーカスが当たっている変換候補“青空”が入力される（状態（Ｆ））。仮に、状態（Ｂ）において、ユーザがキー３０５を押下すると、文字入力領域６１０に、フォーカスが当たっている変換候補“暖かい”が入力される。つまり、携帯型電話機１は、フォーカス移動の処理によって上記複数の変換候補のうちの第２の変換候補（たとえば、「青空」，「暖かい」）に対してフォーカスが当たった状態で、静電キー１３０が上記複数のキーのうちの予め定められたキー３０５に対する押下操作を受け付けると、上記第２の変換候補を入力する。
【００６３】
なお、携帯型電話機１Ａは、ユーザからキー３０５の押下操作を受け付けるまでは、キー３０２，３０４，３０６，３０８への押下操作を受け付ける。すなわち、携帯型電話機１Ａは、フォーカス移動のための押下操作を受け付ける。たとえば、状態（Ｃ）において、ユーザがキー３０２を押下した場合、携帯型電話機１Ａは、キー３０２に対応付けられたフォーカスの移動処理を行ない、変換候補“暖かい” が選択されている状態から、変換候補“朝方” が選択されている状態へと画面を遷移する。
【００６４】
また、上記では、キー３０５に確定キーとしての機能を与えているが、これに限定されるものではない。たとえば、キー３０１，３０３，３０７，３０９〜３１２に、確定キーとしての機能を与えておいてもよい。あるいは、キー３０１，３０３，３０５，３０７，３０９〜３１２のうちの複数のキーに、確定キーとしての機能を与えておいてもよい。
【００６５】
＜Ｈ．小括＞
（１）携帯型電話機１は、複数のキーを備えた静電キー１３０と、ディスプレイ１６０とを備える。静電キー１３０は、複数のキー３０１〜３１２の各々について、キー３０１〜３１２の押下操作と、キー３０１〜３１２の押下を伴わない当該キー３０１〜３１２に対する入力操作とを判別する。
【００６６】
携帯型電話機１Ａのプロセッサ（詳細には、後述するＣＰＵ）は、静電キー１３０がフリック操作を受け付けた場合、フリック操作により選択された文字と、当該選択された文字に予め関連付けられた複数の変換候補とをディスプレイ１６０に表示させる。携帯型電話機１Ａは、上記選択された文字および上記複数の変換候補をディスプレイ１６０に表示させる場合には、当該複数の変換候補のうちの第１の変換候補が選択されていることを示すために、第１の変換候補を、フォーカスを当てた表示態様とする（図５の状態（Ａ）に対応）。
【００６７】
携帯型電話機１Ａは、第１の変換候補に対してフォーカスが当たった状態で、静電キー１３０が上記複数のキーのうちの予め定められた第１のキー（具体的には、キー３０２，３０４，３０６，３０８のいずれか）に対する押下操作を受け付けた場合、第１のキーに対応付けられたフォーカス移動の処理を行なう。携帯型電話機１Ａは、上記フォーカス移動の処理によって上記複数の変換候補のうちの第２の変換候補に対してフォーカスが当たった状態で、静電キー１３０が上記複数のキーのうちの予め定められた第２のキー（具体的には、キー３０５）に対する押下操作を受け付けると、第２の変換候補を入力する。
【００６８】
上記の構成によれば、携帯型電話機１のユーザは、フリック入力に使用されるキー３０１〜３１２を用いることにより変換候補を入力することが可能になる。
【００６９】
（２）上記複数のキー３０１〜３１２は、テンキー３００を構成するキーである。上述した第１のキーは、「２」のキー３０２、「４」のキー３０４、「６」のキー３０６、および「８」のキー３０８のいずれかであある。上述した第２のキーは、「５」のキー３０５である。上記の構成によれば、ユーザは、十字キー３１３を操作に似た操作感で変換候補を選択することが可能となる。
【００７０】
＜Ｉ．制御構造＞
図６は、携帯型電話機１Ａにおける処理の流れの典型例を説明するためのフローチャートである。図６を参照して、ステップＳ１０２において、携帯型電話機１Ａは、フリック操作により選択された文字と、当該選択された文字に予め関連付けられた複数の変換候補とを、ディスプレイ１６０に表示する。ステップＳ１０４において、携帯型電話機１Ａは、キー３０２，３０４，３０６，３０８に対する押下操作を受け付けたか否かを判断する。
【００７１】
受け付けたと判断された場合（ステップＳ１０４においてＹＥＳ）、ステップＳ１０６において、携帯型電話機１Ａは、押下されたキーに対応付けられたフォーカス処理を実行する。その後、携帯型電話機１Ａは、処理をステップＳ１０８に進める。受け付けていないと判断された場合（ステップＳ１０４においてＮＯ）、携帯型電話機１Ａは、処理をステップＳ１０８に進める。
【００７２】
ステップＳ１０８において、携帯型電話機１Ａは、キー３０５に対する押下操作を受け付けたか否かを判断する。受け付けたと判断された場合（ステップＳ１０８においてＹＥＳ）、ステップＳ１１０において、携帯型電話機１Ａは、フォーカスが当たっている変換候補を文字入力領域６１０に入力する。受け付けていないと判断された場合（ステップＳ１０８においてＮＯ）、携帯型電話機１Ａは、処理をステップＳ１０４に進める。
【００７３】
なお、上記の各実施の形態においては、情報処理装置の一例として、テンキー３００を有する携帯型電話機１，１Ａを例に挙げて説明した。しかしながら、情報処理装置は、テンキーを備える構成に限定されるものではない。情報処理装置は、入力デバイスとして、複数のキーの各々について、当該キーの押下操作と、当該キーの押下を伴わない当該キーに対する入力操作とを判別できる構成を有していればよい。
【００７４】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００７５】
１，１Ａ  携帯型電話機、１０１  上部筐体、１０２  下部筐体、１０３  ヒンジ部、１２０  メモリ、１３０  静電キー、１４０  静電キードライバ、１５０  ディスプレイドライバ、１６０  ディスプレイ、３００  テンキー、３０１，３０２，３０３，３０４，３０５，３０６，３０７，３０８，３０９，３１０，３１１，３１２  キー、３１３  十字キー、３５０  静電センサ、６１０  文字入力領域、６２０  変換候補表示領域。
【図１】
2016218898.tif 000003
【図２】
2016218898.tif 000004
【図３】
2016218898.tif 000005
【図４】
2016218898.tif 000006
【図５】
2016218898.tif 000007
【図６】
2016218898.tif 000008
【図７】
2016218898.tif 000009